(57)【要約】【課題】比較的簡単な構成で、水中ポンプの運手に伴って、水槽内の液体に旋回流を生じさせながら水槽内の液体を排水できるようにする。【解決手段】水槽内に水中ポンプ及び配管類を設置して該水槽内を排水する排水ポンプ装置において、水中ポンプの吸込部を下方に延出させ、該吸込部の吸込口を該吸込口の吸込面の中心を垂直に延びる軸線と鉛直軸との間に一定の吸込み角を有するように構成した。【選択図】図３
2008274782.tif 000002
【特許請求の範囲】
【請求項１】
水槽内に水中ポンプ及び配管類を設置して該水槽内の液体を排水する排水ポンプ装置において、
水中ポンプの吸込部を下方に延出させ、該吸込部の吸込口を該吸込口の吸込面の中心を垂直に延びる軸線と鉛直軸との間に一定の吸込み角を有するように構成したことを特徴とする排水ポンプ装置。
【請求項２】
前記吸込み角は、５〜９０°であることを特徴とする請求項１記載の排水ポンプ装置。
【請求項３】
前記吸込部の吸込口を互いに異なる方向に向けて、複数の水中ポンプを水槽内に配置したことを特徴とする請求項１または２記載の排水ポンプ装置。
【請求項４】
水槽底部に凹部を設け、該凹部内に前記吸込部の吸込口を位置させたことを特徴とする請求項１乃至３のいずれかに記載の排水ポンプ装置。
【発明の詳細な説明】
【技術分野】
【０００１】
本発明は、例えば汚水排水槽等の水槽内に設置され、水槽底部に滞留乃至堆積する異物を効率よく排出して、水槽底部に滞留乃至堆積する異物による悪臭を防止するようにした排水ポンプ装置に関する。
【背景技術】
【０００２】
従来、例えば汚水発生源と下水処理場を結ぶ汚水流下配管系の適所に配置されるマンホールなどの汚水排水槽内に配置される排水ポンプ装置にあっては、水槽底部に悪臭の原因となる異物を滞留乃至堆積させることなく、水槽内の汚水を排水することが求められている。このため、水槽の底部に、例えば旋回流を発生させる渦巻き状の凹部を設け、この凹部内に下方に延出した吸込部の吸込口が位置するように水中ポンプを水槽内に設置して、水中ポンプの運転に伴って、水槽内の汚水に旋回流を生じさせながら水槽内の汚水を排水するようにしたものが提案されている（例えば、特許文献１，２参照）。
【０００３】
【特許文献１】特開平９−２０９９９２号公報
【特許文献２】特開２００４−５２３９６号公報
【発明の開示】
【発明が解決しようとする課題】
【０００４】
しかしながら、水中ポンプの吸込部の吸込口は、その吸込面が水槽の底面と平行となるように構成されており、水中ポンプの運転に伴って、水槽内の汚水等に旋回流を生じさせながら水槽内の汚水等を排水するためには、水槽底部を汚水等の旋回流が起こるように渦巻き状の特殊な形状にする必要があり、そのため、水槽底部の形状が複雑となって、製造が難しく、かつ高価になる。なお、水槽底部を汚水等の旋回流が起こるような渦巻き状の特殊な形状にしないと、水中ポンプの運転に伴って、汚水等が吸込部の吸込口の全周から均一に吸込部内に流入し、汚水等の吸込みによる旋回流の発生が少なくなって、特に水槽の底部外周部に滞留乃至堆積する異物を有効に排出できなくなる。
【０００５】
本発明は上記事情に鑑みて為されたもので、比較的簡単な構成で、水中ポンプの運転に伴って、水槽底部の液体に旋回流を生じさせながら水槽内の液体を排水できるようにした排水ポンプ装置を提供することを目的とする。
【課題を解決するための手段】
【０００６】
請求項１に記載の発明は、水槽内に水中ポンプ及び配管類を設置して該水槽内の液体を排水する排水ポンプ装置において、水中ポンプの吸込部を下方に延出させ、該吸込部の吸込口を該吸込口の吸込面の中心を垂直に延びる軸線と鉛直軸との間に一定の吸込み角を有するように構成したことを特徴とする排水ポンプ装置である。
【０００７】
これにより、水中ポンプの運転に伴って、汚水等が吸込部の吸込口の全周から不均一な流れとなって吸込部の内部に流入するようにして、水槽底部を汚水等の旋回流が起こるような渦巻き状の特殊な形状にすることなく、汚水等の吸込みによる旋回流を発生させて、水槽の底部に滞留乃至堆積する異物を効率よく排出することができる。
【０００８】
請求項２に記載の発明は、前記吸込み角は、５〜９０°であることを特徴とする請求項１記載の排水ポンプ装置である。
この吸込み角は、一般には５〜９０°で、３０〜９０°であることが好ましく、４５〜９０°であることが更に好ましい。
【０００９】
請求項３に記載の発明は、前記吸込部の吸込口を互いに異なる方向に向けて、複数の水中ポンプを水槽内に配置したことを特徴とする請求項１または２記載の排水ポンプ装置である。
このように、吸込部の吸込口を互いに異なる方向に向けて複数の水中ポンプを水槽内に配置することで、水中ポンプの運転に伴って、水槽の底部に複雑な流れの旋回流を形成して、異物等が部分的に残ってしまうことを防止することができる。
【００１０】
請求項４に記載の発明は、水槽底部に凹部を設け、該凹部内に前記吸込部の吸込口を位置させたことを特徴とする請求項１乃至３のいずれかに記載の排水ポンプ装置である。
これにより、水槽内に排水されずに残る汚水等の量をより少なくすることができる。
【発明の効果】
【００１１】
本発明の排水ポンプ装置によれば、水槽底部の形状を渦巻き状にする等、複雑な構造にすることなく、水中ポンプの運転に伴って、汚水等の吸込みによる旋回流を発生させて、水槽底部に滞留乃至堆積する異物を効率よく排出することができる。また、構造が簡単なため、簡易かつ低コストで排水ポンプ装置を水槽内に設置することが可能となる。特に、複数台の水中ポンプを設置する時に、吸込部の吸込口を互いに異なる方向に向けることで、水槽底部の異物が部分的に滞留乃至堆積することを防止できる。
【発明を実施するための最良の形態】
【００１２】
以下、本発明の実施の形態を図面を参照して説明する。なお、以下の説明において、同一または相当する部材には、同一符号を付して、重複した説明を省略する。
【００１３】
図１乃至図４は、本発明の実施の形態の排水ポンプ装置１０を、例えばマンホールを含む汚水排水槽等の水槽１２内に設置した状態を示す。図１，２に示すように、排水ポンプ装置１０は、２台の縦型の水中ポンプ１４を有し、各水中ポンプ１４は、その着脱装置１６及び鉛直方向に上方に延びる吐出管１８を有しており、この吐出管１８は共通吐出管２０に連通している。
【００１４】
図３に示すように、各水中ポンプ１４は、その吸込口（ポンプ吸込口）１４ａを下向きにして配置され、ポンプ吸込口１４ａの周囲はストレーナ２４で包囲されている。各水中ポンプ１４は、着脱装置１６の一対のガイドレール２６に沿って上下動して、水槽１２内の所定の位置に設置されるように構成されている。水中ポンプ１４の吐出口（ポンプ吐出口）１４ｂは、着脱装置１６内の流路１６ａを介して、吐出管１８のエルボ管２８に連結され、エルボ管２８は鉛直管３０に連結されている。
【００１５】
各水中ポンプ１４の吸込口（ポンプ吸込口）１４ａには、鉛直方向に下方に延出する吸込管３２が連結されている。この吸込管３２は、吸込部を構成し、この吸込管（吸込部）３２の吸込口（吸込部吸込口）３２ａは、吸込面の中心を垂直に延びる軸線Ａ−Ａと鉛直軸Ｂ−Ｂとの間に９０°の吸込み角θを有するように構成されている。なお、図５に示すように、吸込部吸込口３２ａの吸込面の中心を垂直に延びる軸線Ａ−Ａと鉛直軸Ｂ−Ｂとの間に形成される吸込み角θは、一般には５〜９０°で、３０〜９０°であることが好ましく、４５〜９０度であることが更に好ましい。
【００１６】
このように、吸込部吸込口３２ａを、該吸込口３２ａの吸込面の中心を垂直に延びる軸線Ａ−Ａと鉛直軸Ｂ−Ｂとの間に、例えば５〜９０°の一定の吸込み角θを有するように構成することで、水中ポンプ１４の運転に伴って、汚水等が吸込部吸込口３２ａの全周から不均一な流れとなって吸込管（吸込部）３２内に流入するようにして、水槽１２の底部を汚水等の旋回流が起こるような渦巻き状の特殊な形状にすることなく、汚水等の吸込みによる旋回流を発生させて、水槽１２の底部に滞留乃至堆積する異物を効率よく排出することができる。
【００１７】
更に、図４に示すように、一方の水中ポンプ１４（１４ａ）と他方の水中ポンプ１４（１４ｂ）は、それらの吸込管（吸込部）３２の吸込口３２ａが互いに異なる方向を向くように、この例では、互いに直交する方向を向くように配置されている。このように、複数の水中ポンプ１４を水槽１２内に設置する場合に、吸込部吸込口３２ａが互いに異なる方向を向くようにすることで、水中ポンプ１４の運転に伴って、水槽１２の底部に複雑な流れの旋回流を形成して、異物等が部分的に残ってしまうことを防止することができる。
【００１８】
この例によれば、水槽１２内の水位が所定の水位に達した時に、水中ポンプ１４の運転を開始して、水槽１２内の排水を開始する。この排出時に、汚水等の汲み上げに伴って、水槽１２の底部に汚水等の旋回流が発生し、この旋回流により、水槽１２の底部に滞留乃至堆積する異物が吐出管１８，２０から効率的に外部に排出される。
【００１９】
図５は、本発明の他の実施の形態の排水ポンプ装置１０ａを水槽１２内に設置した状態を示している。この例では、水槽１２の底部に凹部１２ａを設け、水中ポンプ１４の吸込口に連結された吸込管（吸込部）３２の吸込口３２ａが、この凹部１２ａ内に位置するようにしている。その他の構成は、上記実施の形態と同じである。
このように、水中ポンプ１４の吸込口に連結された吸込管（吸込部）３２の吸込口３２ａを、水槽１２の底部に設けた凹部１２ａ内に位置させることで、水槽１２内をほぼ完全に排水することができる。
【００２０】
これまで本発明の一実施形態について説明したが、本発明は上述の実施形態に限定されず、その技術的思想の範囲内において種々異なる形態にて実施されてよいことは言うまでもない。
【図面の簡単な説明】
【００２１】
【図１】本発明の実施の形態の排水ポンプ装置を水槽内に設置した状態を示す縦断面図である。
【図２】図１の平面図である。
【図３】図１に示す排水ポンプ装置の詳細を示す縦断面図である。
【図４】図１に示す水中ポンプにおける吸込部吸込口の向きを示す平面図である。
【図５】水中ポンプにおける吸込部吸込口の吸込み角を示す図である。
【図６】本発明の更に他の実施の形態の排水ポンプ装置を水槽内に設置した状態を示す縦断面図である。
【符号の説明】
【００２２】
１０，１０ａ  排水ポンプ装置
１２  水槽
１２ａ  凹部
１４  水中ポンプ
１４ａ  ポンプ吸込口
１４ｂ  ポンプ吐出口
１６  着脱装置
１８  吐出管
２０  共通吐出管
３２  吸込管（吸込部）
３２ａ  吸込部吸込口
【図１】
2008274782.tif 000003
【図２】
2008274782.tif 000004
【図３】
2008274782.tif 000005
【図４】
2008274782.tif 000006
【図５】
2008274782.tif 000007
【図６】
2008274782.tif 000008